(57)【特許請求の範囲】
【請求項１】
装置本体を構成する複数の筐体の連結状態に応じて複数のスタイルに変更可能な撮像装置であって、
画像を撮影する撮像手段と、
装置本体のスタイルを検出する検出手段と、
前記撮像手段によって撮影された画像と、その画像が撮影された際に前記検出手段によって検出されたスタイルとを対応付けて画像記憶手段に記憶する画像記憶制御手段と、
前記画像記憶手段に記憶されている画像を処理する処理手段と、
この処理手段によって画像を処理するにあたって、その画像と対応付けられて前記画像記憶手段に記憶されているスタイルに基づいて、前記処理手段によって処理される画像に対する制御を行う第１の制御手段と、
前記処理手段によって画像を処理するにあたって、前記処理手段によって処理される画像に対する制御をユーザ操作に応じて行う第２の制御手段と、
この第２の制御手段によって制御を行った場合に、その制御を行った画像と対応付けられて前記画像記憶手段に記憶されているスタイルを読み出し、その読み出されたスタイルと前記第２の制御手段が行う制御内容とを対応付けて制御内容記憶手段に記憶する制御内容記憶制御手段と、
を具備し、
前記第１の制御手段は、前記処理手段によって画像を処理するにあたって、その画像と対応付けられて前記画像記憶手段に記憶されているスタイルを読み出し、その読み出されたスタイルと対応付けられて前記制御内容記憶手段に記憶されている制御内容に従って、前記処理手段によって処理される画像に対する制御を行う、
ようにしたことを特徴とする撮像装置。
【請求項２】
前記処理手段は、画像を表示する処理を行い、
前記第１の制御手段は、画像を表示するにあたって、画像の表示方向を制御する、
ようにしたことを特徴とする請求項１記載の撮像装置。
【請求項３】
前記処理手段は、画像を編集する処理を行い、
前記第１の制御手段は、画像を編集するにあたって、画像の編集処理を制御する、
ようにしたことを特徴とする請求項１記載の撮像装置。
【請求項４】
前記第２の制御手段によって制御を行った場合に、その制御を行った画像と対応付けられて前記画像記憶手段に記憶されているスタイルを読み出し、その読み出されたスタイルと前記第２の制御手段による制御内容とを対応付けて前記制御内容記憶手段に記憶するか否かを選択する選択手段を更に備える、
ようにしたことを特徴とする請求項１記載の撮像装置。
【請求項５】
コンピュータに対して、
装置本体を構成する複数の筐体の連結状態に応じたスタイルを検出する検出機能と、
撮影された画像と、その画像が撮影された際に前記検出されたスタイルとを対応付けて記憶管理する第１の記憶管理機能と、
前記記憶されている画像を処理する処理機能と、
前記画像を処理するにあたって、その画像と対応付けられて記憶されているスタイルに基づいて、前記処理される画像に対する制御を行う第１の制御機能と、
前記処理機能によって画像を処理するにあたって、前記処理機能によって処理される画像に対する制御をユーザ操作に応じて行う第２の制御機能と、
この第２の制御機能によって制御を行った場合に、その制御を行った画像と対応付けられて記憶されているスタイルを読み出し、その読み出されたスタイルと前記第２の制御機能が行う制御内容とを対応付けて記憶管理する第２の記憶管理機能と、
を実現させるためのプログラムであって、
前記第１の制御機能は、前記処理機能によって画像を処理するにあたって、その画像と対応付けられて記憶されているスタイルを読み出し、その読み出されたスタイルと対応付けられて記憶されている制御内容に従って、前記処理機能によって処理される画像に対する制御を行う、
ようにしたことを特徴とするプログラム。
【発明の詳細な説明】
【技術分野】
【０００１】
この発明は、装置本体を構成する複数の筐体の連結状態に応じて複数のスタイルに変更可能な撮像装置及びプログラムに関する。
【背景技術】
【０００２】
一般に、デジタルカメラや撮像機能付き携帯電話などの撮像装置では、縦向きや横向きなど、撮像装置を様々な方向に向けて撮影することがあるが、撮影する際の露出・シャッタースピードなどの撮影条件や撮影モードは、ユーザ操作によって指定するようにしていた。また、撮影された画像を表示する際には、横長あるいは縦長で一律に表示されてしまい、撮影時の方向に応じて適切に表示されなかった。更に、撮影された画像を編集、例えば、回転させる際にも、ユーザが指定した回転方向あるいは一律に指定されている回転方向で編集されてしまい、撮影時の方向に応じて適切に制御されなかった。このようにユーザは、撮影時には撮影条件や撮影モードを指定したり、撮影された画像の表示時や編集時には画像の向きを撮影時の方向に合わせるために画像をユーザ操作によって回転させてその向きを変更したりする必要があった。
ところで、従来では、カメラの傾斜角を記憶しておき、プリント時において、この傾斜角に基づいてプリント画像を回転させて、プリント上で被写体の傾きを無くすようにしたカメラが開示されている（特許文献１参照）。
【先行技術文献】
【特許文献】
【０００３】
【特許文献１】特開平１１−２４２２８４号公報
【発明の概要】
【発明が解決しようとする課題】
【０００４】
しかしながら、このようなカメラでは、傾斜角などの撮影方向を検知するセンサが必要となってしまい、部品点数が増加して筐体の大型化及びコストアップの要因となる。特に近年のデジタルカメラや携帯電話では小型化・薄型化が進んでいるため、余分な部品を追加することは大きな問題となる。
【０００５】
この発明の課題は、ユーザによる煩雑な操作を必要とせず、特別な部品を用意しておく必要もなく、撮影される画像に対する制御を適切に実行できるようにすることである。
【課題を解決するための手段】
【０００６】
請求項１記載の発明は、装置本体を構成する複数の筐体の連結状態に応じて複数のスタイルに変更可能な撮像装置であって、画像を撮影する撮像手段と、装置本体のスタイルを検出する検出手段と、前記撮像手段によって撮影された画像と、その画像が撮影された際に前記検出手段によって検出されたスタイルとを対応付けて画像記憶手段に記憶する画像記憶制御手段と、前記画像記憶手段に記憶されている画像を処理する処理手段と、この処理手段によって画像を処理するにあたって、その画像と対応付けられて前記画像記憶手段に記憶されているスタイルに基づいて、前記処理手段によって処理される画像に対する制御を行う第１の制御手段と、前記処理手段によって画像を処理するにあたって、前記処理手段によって処理される画像に対する制御をユーザ操作に応じて行う第２の制御手段と、この第２の制御手段によって制御を行った場合に、その制御を行った画像と対応付けられて前記画像記憶手段に記憶されているスタイルを読み出し、その読み出されたスタイルと前記第２の制御手段が行う制御内容とを対応付けて制御内容記憶手段に記憶する制御内容記憶制御手段と、を具備し、前記第１の制御手段は、前記処理手段によって画像を処理するにあたって、その画像と対応付けられて前記画像記憶手段に記憶されているスタイルを読み出し、その読み出されたスタイルと対応付けられて前記制御内容記憶手段に記憶されている制御内容に従って、前記処理手段によって処理される画像に対する制御を行う、ようにしたことを特徴とする。
【０００７】
更に、コンピュータに対して、上述した請求項１記載の発明に示した主要機能を実現させるためのプログラムを提供する（請求項５記載の発明）。
【０００８】
なお、上述した請求項１記載の発明は次のようなものであってもよい。
【０００９】
前記処理手段は、画像を表示する処理を行い、前記第１の制御手段は、画像を表示するにあたって、画像の表示方向を制御する（請求項２記載の発明）。
【００１０】
前記処理手段は、画像を編集する処理を行い、前記第１の制御手段は、画像を編集するにあたって、画像の編集処理を制御する（請求項３記載の発明）。
【００１２】
請求項１記載の発明において、前記第２の制御手段によって制御を行った場合に、その制御を行った画像と対応付けられて前記画像記憶手段に記憶されているスタイルを読み出し、その読み出されたスタイルと前記第２の制御手段による制御内容とを対応付けて前記制御内容記憶手段に記憶するか否かを選択する選択手段を更に備える、ようにしてもよい（請求項４記載の発明）。
【発明の効果】
【００１３】
この発明によれば、撮影される画像に対する制御を装置本体のスタイルに応じて実行することができ、ユーザによる煩雑な操作を必要とせず、傾斜角などを検知する特別な部品をも必要とせずに、その制御を適切に行うことが可能となる。
【図面の簡単な説明】
【００１４】
【図１】撮像装置として適用した撮像機能付き携帯電話機が利用可能な通信ネットワークシステムを示したブロック図。
【図２】（Ａ）〜（Ｃ）は、撮像機能付き携帯電話機１において現在のスタイルと撮影方向との関係を説明するほか、撮影された画像の向きと記録された画像の向きを説明するための図。
【図３】（Ａ）、（Ｂ）は、撮像機能付き携帯電話機１において現在のスタイルと撮影方向との関係を説明するほか、撮影された画像の向きと記録された画像の向きを説明するための図。
【図４】撮像機能付き携帯電話機１の基本的な構成要素を示したブロック図。
【図５】撮影方法記憶部Ｍ１を説明するための図。
【図６】撮影モード情報記憶部Ｍ２を説明するための図。
【図７】スタイル＆撮影条件記憶部Ｍ４を説明するための図。
【図８】スタイル＆撮影モード記憶部Ｍ５を説明するための図。
【図９】スタイル＆方向記憶部Ｍ６を説明するための図。
【図１０】画像記憶部Ｍ７を説明するための図。
【図１１】電源投入に伴って実行開始される携帯電話機１の全体動作を示したフローチャート（メインフロー）。
【図１２】カメラ機能処理（図１１のステップＡ５）を詳述するためのフローチャート。
【図１３】図１２に続く動作を示したフローチャート。
【図１４】画像表示処理（図１１のステップＡ８）を詳述するためのフローチャート。
【図１５】画像編集処理（図１１のステップＡ１０）を詳述するためのフローチャート。
【図１６】（Ａ）、（Ｂ）は、記録されている画像をスタイルに応じて回転して表示させた場合を例示した図。
【発明を実施するための形態】
【００１５】
以下、図１〜図１６を参照して本発明の実施形態を説明する。
この実施形態は、撮像装置として撮像機能付き携帯電話機に適用した場合を例示したもので、図１は、この携帯電話機が利用可能な通信ネットワークシステムを示したブロック図である。
【００１６】
携帯電話機１は、その機器本体（装置本体）を構成する複数の筐体の連結状態に応じて複数のスタイルに変更可能な２軸ヒンジタイプの電話機であり、音声通話機能（電話機能）、電子メール機能、インターネット接続機能（Ｗｅｂアクセス機能）、カメラ機能などが備えられている。この携帯電話機１は、最寄りの基地局２Ａ、交換機２Ｂから無線通信網（移動体通信網）２に接続されると、この無線通信網２を介して他の携帯電話機１との間で通話可能な状態となる。
【００１７】
図２及び図３は、撮像機能付き携帯電話機１において現在のスタイルと撮影方向との関係を説明するほか、撮影された画像の向きと記録された画像の向きを説明するための図である。
携帯電話機１は、その機器本体（装置本体）を構成する操作部筐体１Ａと表示部筐体１Ｂとを折り畳み開閉自在及び回動自在にヒンジ部１Ｃを介して連結した２軸ヒンジタイプの携帯電話機である。ヒンジ部１Ｃには操作部筐体１Ａと表示部筐体１Ｂとを折り畳み開閉するための開閉用ヒンジ軸が設けられているほか、この開閉用ヒンジ軸と略直交して、一方の筐体を他方の筐体に対して回動するための回動用ヒンジ軸とが設けられており、このヒンジ部１Ｃを介して操作部筐体１Ａと表示部筐体１Ｂとは折り畳み開閉自在及び回動自在に連結されている。
【００１８】
このような２軸ヒンジタイプの携帯電話機１は、操作部筐体１Ａと表示部筐体１Ｂとが、どのように連結されているかに応じて携帯電話機１の形態を複数のスタイル（クローズスタイル、オープンスタイル、反オープンスタイル、ビュースタイル）に変更可能なもので、図２（Ａ）は、操作部筐体１Ａと表示部筐体１Ｂとの折り畳みを開いた状態のオープンスタイルを示している。なお、操作部筐体１Ａの内面には、数値／文字キー、カーソルキーのほか、撮影時にシャッターキーとして機能する決定キーＭＫが配置され、また、操作部筐体１Ａの側面には、撮影時にシャッターキーとして機能するサイドキーＳＫが配置されている。
【００１９】
表示部筐体１Ｂの内面には、表示画面ＭＤが配置されている。図２（Ｂ）は、このオープンスタイルをその背後から見た図で、操作部筐体１Ａの外面においてヒンジ部１Ｃの近傍には、カメラ機能を構成する撮影レンズＣＲが配置される。このカメラ機能による画像撮影時に、オープンスタイルでは装置本体をどのような方向に向ければ良いかが予め指定（推奨）されており、このオープンスタイルでの推奨撮影方向は、撮影レンズＣＲよりもヒンジ部１Ｃが上に位置する方向となっている。図２（Ｃ）は、オープンスタイルでの推奨撮影方向で撮影された画像（縦長の画像）と、記録された画像（横長の画像）の向きを示し、記録された画像はその撮影方向に関わらず、一律に横長に記録するようにしている。この場合、図２（Ｃ）に示すように、オープンスタイルで記録された画像の向きは、撮影された画像を反時計方向に９０°回転させた状態となっている。
【００２０】
図３（Ａ）は、上述したオープンスタイルにおいて操作部筐体１Ａを開閉用ヒンジ軸とは略直交する回動用ヒンジ軸で１８０度回転させた後、表示画面ＭＤが外側に向くように折り畳んだ状態のビュースタイルを示している。このビュースタイルでの推奨撮影方向は、撮影レンズＣＲよりもヒンジ部１Ｃが下に位置する方向となっている。図３（Ｂ）は、ビュースタイルでの推奨撮影方向で撮影された画像（縦長の画像）と、記録された画像（横長の画像）の向きを示し、オープンスタイルとは推奨撮影方向が上下逆の関係となるために、ビュースタイルで記録された画像は、オープンスタイルで記録された画像と同様、横長の画像であっても逆向きとなっている。この場合、図３（Ｂ）に示すように、ビュースタイルで記録された画像の向きは、撮影された画像を時計方向に９０°回転させた状態となっている。
【００２１】
図４は、撮像機能付き携帯電話機１の基本的な構成要素を示したブロック図である。
中央制御部１１は、ＲＯＭ１２内の各種のプログラムに応じてこの携帯電話機１の全体動作を制御する中央演算処理装置などを有している。ＲＯＭ１２は、プログラム領域とデータ領域とを有し、このプログラム領域には、後述する図１１〜図１５に示す動作手順に応じて本実施例を実現するためのプログラムが格納されている。ＲＡＭ１３は、ワーク領域を有する内部メモリで、後述する撮影方法記憶部Ｍ１、撮影モード情報記憶部Ｍ２、現在設定記憶部Ｍ３、スタイル＆撮影条件記憶部Ｍ４、スタイル＆撮影モード記憶部Ｍ５、スタイル＆方向記憶部Ｍ６、画像記憶部Ｍ７などが設けられている。
【００２２】
無線通信送受信部１４は、無線部、ベースバンド部、多重分離部などを備え、例えば、通話機能、電子メール機能、インターネット接続機能、データ通信機能の動作時に、最寄りの基地局２Ａとの間でデータの送受信を行うもので、通話機能の動作時にはベースバンド部の受信側から信号を取り込んで受信ベースバンド信号に復調した後、音声信号処理部１５を介して送話スピーカＳＰから音声出力させ、また、受話マイクＭＣからの入力音声データを音声信号処理部１５から取り込み、送信ベースバンド信号に符号化した後、ベースバンド部の送信側に与えてアンテナから発信出力させる。
【００２３】
カメラ部１６は、カメラ機能を構成するもので、画像を撮影する撮像部で、静止画撮影のほかに動画撮影も可能なもので、撮影レンズＣＲのほか、レンズ・ミラーブロック、撮像素子、その駆動系、測距センサ、光量センサ、アナログ処理回路、信号処理回路、圧縮伸張回路などを有している。表示部１７は、上述の表示画面ＭＤを有し、それらの表示動作を制御するもので、高精細液晶あるいは有機ＥＬなどを使用したもので、待受画像、文字情報、撮影画像などを表示する。操作部１８は、ダイヤル入力、文字入力、コマンド入力などを入力するもので、カメラ機能起動操作、画像表示操作、画像編集操作のほか、撮影条件変更操作、撮影方法変更操作などを行う。そして、操作部１８には、撮影時にシャッターキーとして機能する決定キーＭＫ、サイドキーＳＫを有し、中央制御部１１は、キー入力信号に応じた処理を実行する。
【００２４】
ＲＴＣ（リアルタイムクロックモジュール）１９は、時計部を構成するもので、中央制御部１１は、ＲＴＣ１９から現在日時を取得する。報知部２０は、サウンドスピーカ２０Ａ、ＬＥＤ（発光ダイオード）２０Ｂ、振動モータ２０Ｃを備え、着信時に駆動されて着信報知を行うほか、アラーム報知時にも駆動される。スタイル検出部２１は、装置本体のスタイルを検出するもので、例えば、磁気センサ、マイクロスイッチ、機械的スイッチなどを有する構成で、中央制御部１１は、スタイル検出センサ２１からの各検出信号に基づいて装置本体の各スタイルを判別し、例えば、折り畳みを閉じたクローズスタイルに変化した際に、表示部１７の表示を消したり、折り畳みを開いたオープンスタイルに変化した際に、表示部１７に待受画像などを表示させたりするようにしている。
【００２５】
図５は、撮影方法記憶部Ｍ１を説明するための図である。
撮影方法記憶部Ｍ１は、複数の撮影方法の中から現在有効な撮影方法を選択するための情報を記憶するもので、「撮影方法」、「設定フラグ」の各項目を有し、「撮影方法」は、“通常撮影”と“撮影モードによる撮影”とに分かれている。“通常撮影”は、シャッタースピード、露出、ホワイトバランスなどの撮影パラメータ（撮影条件）をマニュアル調整して撮影する方法などであり、後述する“撮影モードによる撮影”以外での撮影方法を示している。“撮影モードによる撮影”は、撮影技能などに依存することなく、高品質画像を得るために、被写体の種類や撮影状況などによって予め決定された撮影条件を利用して撮影する方法（ベストショット機能）を示している。「設定フラグ」は、ユーザ操作によって任意に設定したもので、その値が“１”のときには現在有効な撮影方法であることを示している
【００２６】
図６は、撮影モード情報記憶部Ｍ２を説明するための図である。
撮影モード情報記憶部Ｍ２は、被写体の種類や撮影状況などに応じてベストな撮影条件を設定するベストショット機能を構成するもので、「撮影モード」に対応して、そのモードでベストな「撮影条件」を記憶する構成となっている。「撮影モード」は、“人物”、“風景”などの被写体の種類や“夜景”、“スポーツ”などの撮影状況毎に分類された撮影モードを示している。また、「撮影条件」は、“シャッタースピード”、“露出”、“ホワイトバランス”、“絞り”、“焦点距離”、“フィルタ”などを調整するための撮影パラメータを示している。なお、中央制御部１１は、上述したベストショット機能が起動されると、「撮影モード」に対応して予め用意されている各種のサンプル画像をリスト表示させ、このリスト画面の中から任意のサンプル画像がユーザ操作によって選択されると、それに対応する「撮影条件」を今回の撮影条件として読み出し、現在設定記憶部Ｍ３を介してカメラ部１６に与えるようにしている。なお、ユーザ操作によって撮影モード情報記憶部Ｍ２の内容を変更するようにしてもよい。
【００２７】
図７は、スタイル＆撮影条件記憶部Ｍ４を説明するための図である。
スタイル＆撮影条件記憶部Ｍ４は、「スタイル」に対応して、そのスタイルでベストとなる「撮影条件」を記憶するもので、撮影時にどのようなスタイルで撮影を行うかを自分の好みや使い易さに応じて使い分けたり、何を撮影するか、どんな状況で撮影するかに応じて使い分けたりする場合に、その使い分けに適した条件で撮影可能とするために設けられたものである。「スタイル」、「撮影条件」の内容は、ユーザ操作によって任意に変更可能なもので、「スタイル」は、“オープンスタイル”、“ビュースタイル”を示し、「撮影条件」は、“シャッタースピード”、“露出”、“ホワイトバランス”、“絞り”、“焦点距離”、“フィルタ”などを調整するための撮影パラメータを示している。中央制御部１１は、画像の撮影時に、スタイル検出部２１によって検出されたスタイルが“オープンスタイル”あるいは“ビュースタイル”の場合に、それに対応する「撮影条件」を今回の撮影条件として読み出して現在設定記憶部Ｍ３に記憶させるようにしている。
【００２８】
図８は、スタイル＆撮影モード記憶部Ｍ５を説明するための図である。
スタイル＆撮影モード記憶部Ｍ５は、「スタイル」に対応して、そのスタイルでベストとなる「撮影モード」を記憶するもので、撮影時にどのようなスタイルで撮影を行うかを自分の好みや使い易さに応じて使い分けたり、何を撮影するか、どんな状況で撮影するかに応じて使い分けたりする場合に、その使い分けに適した撮影モードで撮影可能とするために設けられたものである。「スタイル」、「撮影モード」の内容は、ユーザ操作によって任意に変更可能なもので、「スタイル」は、“オープンスタイル”、“ビュースタイル”を示し、「撮影モード」は、“人物”あるいは“風景”を示している。中央制御部１１は、画像の撮影時に、スタイル検出部２１によって検出されたスタイルがオープンスタイルあるいはビュースタイルの場合に、それに対応する「撮影モード」を今回の撮影モードにとして現在設定記憶部Ｍ３に記憶させるようにしている。
【００２９】
図９は、スタイル＆方向記憶部Ｍ６を説明するための図である。
スタイル＆方向記憶部Ｍ６は、「スタイル」に対応して、記録された画像を表示させる際の「表示方向」と、表示されている画像を編集して記録させる際の「回転方向」を記憶するもので、「スタイル」、「表示方向」、「回転方向」の内容は、ユーザ操作によって任意に変更可能なもので、「スタイル」は、“オープンスタイル”、“ビュースタイル”を示している。そして、図示の例は、“オープンスタイル”に対応する「表示方向」として、“記録画像を時計回りに９０度回転して表示”を設定し、また、“オープンスタイル”に対応する「回転方向」として、“表示画像を時計回りに９０度回転”を設定した場合を示している。また、“ビュースタイル”に対応する「表示方向」として“表示画像を反時計回りに９０度回転して表示”を設定し、また、“ビュースタイル”に対応する「回転方向」として“表示画像を反時計回りに９０度回転”を設定した場合を示している。なお、図中、下線はユーザ操作によって任意に設定可能な部分を示している。
【００３０】
図１０は、画像記憶部Ｍ７を説明するための図である。
画像記憶部Ｍ７は、撮影された各画像を順次記憶するもので、「画像ＩＤ」、「タイトル」、「撮影日時」、「実データ」、「スタイル」、…の各項目を有している。「画像ＩＤ」は画像が記憶される毎に更新される一連番号であり、「タイトル」は操作部１８などから任意に入力されたが文字列データなどの画像名である。「撮影日時」は撮影時にＲＴＣ１９から得られた現在日時、「実データ」は撮影された画像データ、また、「スタイル」は画像撮影時にスタイル検出部２１によって検出されたスタイルである。
【００３１】
次に、この実施形態における携帯電話機１の動作概念を図１１〜図１５に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施形態特有の動作を実行することもできる。
【００３２】
図１１は、電源投入に伴って実行開始される携帯電話機１の全体動作を示したフローチャート（メインフロー）である。
先ず、中央制御部１１は、電源を投入する電源オン操作が行われると（ステップＡ１でＹＥＳ）、電源供給を開始させて所定のメモリなどを初期化する電源オン処理を実行した後、所定の待受画像を読み出して表示させる待受処理を行う（ステップＡ２）。そして、操作部１８をアクセスして操作有無をチェックしたり（ステップＡ３、Ａ５、Ａ７、Ａ９、Ａ１３、Ａ１５）、無線通信送受信部１４をアクセスして着信検出の有無をチェックしたりする（ステップＡ１１）。ここで、撮影方法記憶部Ｍ１、撮影モード情報記憶部Ｍ２、スタイル＆撮影条件記憶部Ｍ４、スタイル＆撮影モード記憶部Ｍ５、スタイル＆方向記憶部Ｍ６などの各種情報に対する設定を指示するための設定操作が行われると（ステップＡ３でＹＥＳ）、その設定操作に従って、各種情報の内容を変更する設定処理を行う（ステップＡ４）。なお、これら各種情報の設定は後述するカメラ起動処理の中で行うようにしてもよい。また、カメラ機能を起動させる操作が行われると（ステップＡ５でＹＥＳ）、カメラ機能処理に移る（ステップＡ６）。
【００３３】
図１２及び図１３は、カメラ機能処理（図１１のステップＡ５）を詳述するためのフローチャートである。
先ず、中央制御部１１は、カメラ機能を起動させた後（ステップＢ１）、撮影方法記憶部Ｍ１を参照し、「設定フラグ」が“１”の「撮影方法」は“通常撮影”であるか、つまり、撮影方法として“通常撮影”が選択設定されているかを調べる（ステップＢ２）。ここで、“通常撮影”が設定されている場合には（ステップＢ２でＹＥＳ）、スタイル検出部２１によって検出された現在のスタイルを取得し（ステップＢ３）、現在のスタイルがオープンスタイルあるいはビュースタイルであれば、スタイル＆撮影条件記憶部Ｍ４を検索し、現在のスタイルに該当する「撮影条件」を読み出し（ステップＢ４）、これを今回の撮影条件として現在設定記憶部Ｍ３に記憶させる（ステップＢ５）。
【００３４】
そして、シャッターキー（決定キーＭＫあるいはサイドキーＳＫ）が押下されたかを調べたり（ステップＢ６）、スタイルを変更する操作が行われたかを調べたり（ステップＢ１０）、撮影条件を変更する操作が行われたかを調べたり（ステップＢ１１）、撮影方法を変更する操作が行われたかを調べたり（ステップＢ１７）、カメラ機能を終了させる操作が行われたかを調べたりし（ステップＢ１８）、何れかの操作が行われるまで操作待ち状態となる。
【００３５】
この操作待ち状態においてシャッターキーが押下されたときには（ステップＢ６でＹＥＳ）、スタイル検出部２１によって検出された現在のスタイルを取得するほか（ステップＢ７）、現在設定記憶部Ｍ３に記憶されている「撮影条件」を読み出してカメラ部１６に与え、その条件で撮影を開始させる撮像処理を実行した後（ステップＢ８）、撮影された画像を現在のスタイル、現在日時などと共に画像記憶部Ｍ７に記憶させる（ステップＢ９）。また、操作待ち状態においてスタイル変更操作が行われたこと、つまり、スタイルが変化したことがスタイル検出部２１によって検出されたときには（ステップＢ１０でＹＥＳ）、上述のステップＢ３に戻り、現在設定記憶部Ｍ３の「撮影条件」を新たなスタイルに対応した「撮影条件」に変更させる（ステップＢ４、Ｂ５）。
【００３６】
また、上述のようにして現在設定記憶部Ｍ３に記憶された撮影条件を変更する操作が行われたときには（ステップＢ１１でＹＥＳ）、この撮影条件変更操作に応じた内容を現在設定記憶部Ｍ３に記憶させた後（ステップＢ１２）、撮影条件の変更は今回の撮影に限った一時的な変更なのか、以降も同じ撮影条件（変更後の撮影条件）を利用するのかを問い合わせるための確認メッセージを表示させる（ステップＢ１３）。なお、このメッセージ画面には、変更後の撮影条件を今後も利用するか否かを指定する「利用する」／「利用しない」のボタンが設けられている。
【００３７】
いま、「利用しない」のボタンが操作されて、今回の撮影に限った一時的な変更であることが指定されたときには（ステップＢ１４でＮＯ）、この時点で上述のステップＢ６に戻って操作待ち状態となるが、「利用する」のボタンが指定操作されたときには（ステップＢ１４でＹＥＳ）、スタイル検出部２１によって検出された現在のスタイルを取得すると共に（ステップＢ１５）、現在のスタイルに基づいてスタイル＆撮影条件記憶部Ｍ４を検索し、現在のスタイルに対応する「撮影条件」の内容を現在設定記憶部Ｍ３に記憶されている撮影条件に基づいて変更する（ステップＢ１６）。このようにして撮影条件を変更した後は、上述のステップＢ６に戻る。この場合、撮影条件の変更時と同じスタイルでシャッターキーが押下されたときには、現在設定記憶部Ｍ３に記憶されている変更後の撮影条件で撮影が行われる（ステップＢ６〜Ｂ８）。
【００３８】
また、撮影方法を変更する操作が行われたときには（ステップＢ１７でＹＥＳ）、撮影方法を“通常撮影”から“撮影モードによる撮影”に一時的に変更するために、図１３のフローに移るが、カメラ機能終了操作が行われたときには（ステップＢ１８でＹＥＳ）、カメラ機能の動作を終了させた後に（ステップＢ１９）、図１１のメインフローに戻る。
【００３９】
一方、撮影方法記憶部Ｍ１の「設定フラグ」が“１”の「撮影方法」が“撮影モードによる撮影”の場合、つまり、「撮影方法」として“撮影モードによる撮影”が選択設定されている場合には（ステップＢ２でＹＥＳ）、図１３のフローに移る。先ず、中央制御部１１は、スタイル検出部２１によって検出された現在のスタイルを取得し（ステップＢ２０）、現在のスタイルがオープンスタイルあるいはビュースタイルであれば、スタイル＆撮影モード記憶部Ｍ５を検索し、現在のスタイルに該当する「撮影モード」を読み出すと共に（ステップＢ２１）、この「撮影モード」に対応する「撮影条件」を撮影モード情報記憶部Ｍ２から読み出し、この「撮影モード」及び「撮影条件」を現在設定記憶部Ｍ３に記憶させる（ステップＢ２２）。そして、シャッターキーが押下されたかを調べたり（ステップＢ２３）、スタイルを変更する操作が行われたかを調べたり（ステップＢ２７）、撮影モードを変更する操作が行われたかを調べたり（ステップＢ２８）、撮影方法を変更する操作が行われたかを調べたり（ステップＢ３４）、カメラ機能を終了させる操作が行われたかを調べたりし（ステップＢ３５）、何れかの操作が行われるまで操作待ち状態となる。
【００４０】
いま、シャッターキーが押下されたときには（ステップＢ２３でＹＥＳ）、上述した“通常撮影”の場合と同様に、現在のスタイルを取得するほか（ステップＢ２４）、現在設定記憶部Ｍ３に記憶されている「撮影条件」を読み出してカメラ部１６に与え、この「撮影条件」で撮影を開始させる撮像処理を実行する（ステップＢ２５）。そして、この撮影された画像を現在のスタイル、現在日時などと共に画像記憶部Ｍ７に記憶させる（ステップＢ２６）。また、スタイル変更操作が行われたときには（ステップＢ２７でＹＥＳ）、上述のステップＢ２０に戻り、新たなスタイルに対応した「撮影モード」を読み出し、現在設定記憶部Ｍ３の内容を当該「撮影モード」に対応した「撮影条件」に変更させる（ステップＢ２１、Ｂ２２）。
【００４１】
また、例えば、人物撮影から風景撮影のように撮影モードを変更する操作が行われたときには（ステップＢ２８でＹＥＳ）、変更後の「撮影モード」に対応する「撮影条件」を撮影モード情報記憶部Ｍ２から読み出して現在設定記憶部Ｍ３に記憶させた後（ステップＢ２９）、撮影モードの変更は今回の撮影に限った一時的な変更なのか、以降も同じ撮影モード（変更後の撮影モード）を利用するのかを問い合わせるための確認メッセージを表示させる（ステップＢ３０）。なお、このメッセージ画面にも上述と同様の「利用する」／「利用しない」のボタンが設けられており、「利用しない」のボタンが操作されて、今回の撮影に限った一時的な変更であることが指定されたときには（ステップＢ３１でＮＯ）、この時点で上述のステップＢ２３に戻って操作待ち状態となる。また、「利用する」のボタンが指定操作されたときには（ステップＢ３１でＹＥＳ）、スタイル検出部２１によって検出された現在のスタイルを取得すると共に（ステップＢ３２）、現在のスタイルに基づいてスタイル＆撮影モード記憶部Ｍ５を検索し、その内容を変更後の撮影モードに変更する（ステップＢ３３）。
【００４２】
このようにユーザ操作によって撮影モードを変更した後は、上述のステップＢ２３に戻るが、この撮影モード変更時と同じスタイルでシャッターキーが押下されたときには、現在設定記憶部Ｍ３に記憶されている変更後の撮影モードで撮影が行われる（ステップＢ２３〜Ｂ２５）。また、撮影方法を変更する操作が行われたときには（ステップＢ３４でＹＥＳ）、撮影方法を“撮影モードによる撮影”から“通常撮影”に一時的に変更するために、上述した図１２のステップＢ３に移るが、カメラ機能終了操作が行われたときには（ステップＢ３５でＹＥＳ）、カメラ機能の動作を終了させた後（ステップＢ３６）、図１１のメインフローに戻る。
【００４３】
一方、画像記憶部Ｍ７に記憶されている撮影画像の表示を指示する画像表示操作が行われたときには（図１１のステップＡ７でＹＥＳ）、画像表示処理に移る（ステップＡ８）。
【００４４】
図１４は、画像表示処理（図１１のステップＡ８）を詳述するためのフローチャートである。
先ず、中央制御部１１は、画像記憶部Ｍ７に記憶されている各画像が一覧表示（例えば、サムネイル表示）されている状態において、その一覧画面の中から任意の画像を表示対象として指定する画像指定操作が行われると（ステップＣ１）、指定された画像に対応付けて画像記憶部Ｍ７に記憶されている「スタイル」を読み出すと共に（ステップＣ２）、スタイル＆方向記憶部Ｍ６から当該スタイルに対応する「表示方向」を読み出し（ステップＣ３）、この「表示方向」に従った向きに指定画像を回転して表示させる（ステップＣ４）。例えば、オープンスタイルで撮影され画像であれば、図１６（Ａ）に示すように記録画像を時計回りに９０度回転して表示させ、ビュースタイルで撮影された記録画像であれば、図１６（Ｂ）に示すように記録画像を反時計回りに９０度回転して表示させる。
【００４５】
そして、表示方向を変更する操作が行われたか（ステップＣ５）、画像表示処理の終了を指示する操作が行われたかを調べ（ステップＣ１１）、何れかの操作が行われるまで操作待ち状態となる。いま、表示方向変更操作が行われたときには（ステップＣ５でＹＥＳ）、その変更操作に応じた方向に画像の向きを変更して表示させる（ステップＣ６）。そして、表示方向の変更は今回の表示に限った一時的な変更なのか、以降も同じ表示方向（変更後の表示方向）を利用するのかを問い合わせるための確認メッセージを表示させる（ステップＣ７）。
【００４６】
このメッセージ画面にも上述と同様の「利用する」／「利用しない」のボタンが設けられており、「利用しない」のボタンが操作されて、今回の表示に限った一時的な変更であることが指定されたときには（ステップＣ８でＮＯ）、この時点で上述のステップＣ５に戻って操作待ち状態となる。また、「利用する」のボタンが指定操作されたときには（ステップＣ８でＹＥＳ）、表示されている画像に対応付けて画像記憶部Ｍ７に記憶されている「スタイル」を読み出すと共に（ステップＣ９）、そのスタイルに基づいてスタイル＆方向記憶部Ｍ６を検索し、そのスタイルに対応する「表示方向」の内容を変更後の表示方向に変更する（ステップＣ１０）。また、画像表示終了操作が行われたときには（ステップＣ１１でＹＥＳ）、画像表示処理を終了させた後（ステップＣ１２）、図１１のメインフローに戻る。このようにユーザ操作によって「表示方向」を変更した後、再び、画像表示操作が行われたときに（図１１のステップＡ７でＹＥＳ）、表示されていた画像と表示される画像に対応付けて画像記憶部Ｍ７に記憶されている「スタイル」が同じスタイルであれば、変更後の「表示方向」で画像表示が行われる（ステップＣ１〜Ｃ４）。
【００４７】
また、画像編集を指示する操作が行われたときには（図１１のステップＡ９でＹＥＳ）、画像編集処理に移る（ステップＡ１０）。
【００４８】
図１５は、画像編集処理（図１１のステップＡ１０）を詳述するためのフローチャートである。
先ず、中央制御部１１は、画像記憶部Ｍ７に記憶されている各画像が一覧表示（例えば、サムネイル表示）されている状態において、その一覧画面の中から任意の画像を編集対象として指定する画像指定操作が行われると（ステップＤ１）、指定された画像を記録されているままの方向で表示させる（ステップＤ２）。そして、表示されている画像を回転することを指示する操作が行われたか（ステップＤ３）、画像の切り出しを指示する操作が行われたか（ステップＤ７）、回転方向の変更を指示する操作が行われたか（ステップＤ９）、画像編集処理の終了を指示する操作が行われたかを調べ（ステップＤ１５）、何れかの操作が行われるまで操作待ち状態となる。
【００４９】
いま、画像を回転することを指示する回転指示操作（回転方向は指示しない）が行われたときには（ステップＤ３でＹＥＳ）、指定された画像に対応付けて画像記憶部Ｍ７に記憶されている「スタイル」を読み出すと共に（ステップＤ４）、スタイル＆方向記憶部Ｍ６から当該スタイルに対応する「回転方向」を読み出し（ステップＤ５）、この「回転方向」に従った向きに指定画像を回転して表示させる（ステップＤ６）。すなわち、記録されているままの方向で画像表示が行われている状態において（ステップＤ２）、撮影時のスタイルに応じた「回転方向」に回転して表示させる。例えば、オープンスタイルで撮影され画像であれば、図１６（Ａ）に示すように記録画像を時計回りに９０度回転して表示させ、ビュースタイルで撮影された記録画像であれば、図１６（Ｂ）に示すように記録画像を反時計回りに９０度回転して表示させる。
【００５０】
このように撮影時のスタイルに応じて画像を回転表示させた状態において、所定の領域で切り出して、待受画面用の画像に編集するために、その切り出し範囲を指定する操作が行われたときには（ステップＤ７でＹＥＳ）、その操作に応じて指定された領域（サイズや位置）内の画像を切り出して表示させる（ステップＤ８）。また、回転変更操作が行われたときには（ステップＤ９でＹＥＳ）、その操作に応じて表示画像を回転させた後（ステップＤ１０）、そして、回転方向の変更は今回の表示に限った一時的な変更なのか、以降も同じ回転方向（変更後の回転方向）を利用するのかを問い合わせるための確認メッセージを表示させる（ステップＤ１１）。
【００５１】
このメッセージ画面にも上述と同様の「利用する」／「利用しない」のボタンが設けられており、「利用しない」のボタンが操作されて、今回の表示に限った一時的な変更であることが指定されたときには（ステップＤ１２でＮＯ）、この時点で上述のステップＤ３に戻って操作待ち状態となる。また、「利用する」のボタンが指定操作されたときには（ステップＤ１２でＹＥＳ）、編集されている画像に対応付けて画像記憶部Ｍ７に記憶されている「スタイル」を読み出すと共に（ステップＤ１３）、そのスタイルに基づいてスタイル＆方向記憶部Ｍ６を検索し、そのスタイルに対応する「回転方向」の内容を変更後の回転方向に変更する（ステップＤ１４）。
【００５２】
また、画像編集終了操作が行われたときには（ステップＤ１５でＹＥＳ）、画像編集処理を終了させると共に、編集後の画像を画像記憶部Ｍ７に記憶させて編集前の画像と置き換えた後（ステップＤ１６）、図１１のメインフローに戻る。このようにユーザ操作によって「回転方向」を変更した後、再び、画像編集操作が行われ（図１１のステップＡ９でＹＥＳ）、かつ、回転指示操作が行われたときには（ステップＤ３）、編集されていた画像と編集されている画像に対応付けて画像記憶部Ｍ７に記憶されている「スタイル」が同じスタイルであれば、変更後の「回転方向」で画像回転が行われる（ステップＤ４〜Ｄ６）。
【００５３】
他方、着信検出が有った場合には（図１１のステップＡ１１でＹＥＳ）、通話可能状態とする通話処理を実行し（ステップＡ１２）、また、電源オフ操作が行われたときには（ステップＡ１３でＹＥＳ）、サスペンドなどの電源オフ処理を実行し（ステップＡ１４）、その他の操作、例えば、発信操作、メール送信操作などが行われたときには（ステップＡ１５でＹＥＳ）、操作に対応する処理として、発信処理、メール送信などを実行する（ステップＡ１６）。
【００５４】
以上のように、この実施形態において中央制御部１１は、カメラ部１６で撮影される画像に対する制御をスタイル検出部２１で検出されたスタイルに応じて行うようにしたので、ユーザによる煩雑な操作を必要とせず、傾斜角などを検知する特別な部品をも必要とせずに、その制御を適切に行うことが可能となる。なお、スタイル検出部２１は、装置本体の折り畳みを閉じたときに表示部１７の表示を消したりするなど、何らかの用途のために既に設けられているものであるが、これを流用することで部品を新たに追加する必要がなくなる。また、それぞれのスタイルでの撮影時の方向が携帯電話の製造者によって予め指定（推奨）されている場合にその推奨撮影方向を考慮した制御が可能となる。
【００５５】
画像を撮影する際に、現在のスタイルに応じてその撮影条件を制御するようにしたので、ユーザによる煩雑な操作を必要とせず、スタイルに合った撮影条件での撮影が可能となる。すなわち、ユーザは撮影時にどのようなスタイルで撮影を行うかを自分の好みや使い易さに応じて使い分けたり、何を撮影するかどんな状況かに応じて使い分けたりする場合に、その使い分けに適した撮影条件での撮影が可能となる。
【００５６】
画像を撮影する際に、現在のスタイルに応じてその撮影モードを制御するようにしたので、ユーザによる煩雑な操作を必要とせず、スタイルに合った撮影モードでの撮影が可能となる。すなわち、ユーザは撮影時にどのようなスタイルで撮影を行うかを自分の好みや使い易さに応じて使い分けたり、何を撮影するかどんな状況かに応じて使い分けたりする場合に、その使い分けに適した撮影モードでの撮影が可能となる。
【００５７】
画像を撮影するときに、スタイル＆撮影条件記憶部Ｍ４、スタイル＆撮影モード記憶部Ｍ５のうち、その何れかの内容（撮影条件／撮影モード）の変更を指示する操作が行われた際に、現在設定記憶部Ｍ３の内容を変更以外にも、そのときのスタイルに応じてスタイル＆撮影条件記憶部Ｍ４／スタイル＆撮影モード記憶部Ｍ５の内容を変更するようにしたので、以降、同じスタイルになったときには、その変更された内容での制御が可能となる。
【００５８】
この場合、画像を撮影するときに、撮影条件／撮影モードを指示する操作が行われた際に、今回に限った一時的な変更なのか、以降も同じ制御を利用するかを問い合わせるようにしたので、ユーザにあってはその選択を自由に行うことができる。
【００５９】
中央制御部１１は、カメラ部１６で撮影される画像を処理するにあたって、当該処理される画像に対する制御をその画像が撮影された際のスタイルに応じて行うようにしたので、ユーザによる煩雑な操作を必要とせず、傾斜角などを検知する特別な部品をも必要とせずに、その制御を適切に行うことが可能となる。
【００６０】
画像を表示するにあたって、表示される画像に対する制御をその画像が撮影された際のスタイルに応じて行うようにしたので、記録されている画像の向きに関わらず、画像の表示方向を適切に制御することができる。
【００６１】
画像を編集するにあたって、編集される画像に対する制御をその画像が撮影された際のスタイルに応じて行うようにしたので、画像の編集処理を適切に制御することができる。例えば、縦長で撮影された画像が横長で表示されるような場合、縦長の画像が表示されるように９０度回転してから所定の領域で切り出して、待受画面用の画像に編集する際に、その回転方向を撮影時のスタイルに応じて適切に制御することができる。
【００６２】
画像表示処理あるいは画像編集処理するにあたって、画像を表示するときの表示方向あるいは編集するときの回転方向の変更を指示する操作が行われた際に、その操作に応じてその表示方向あるいは回転方向を変更する以外にも、その画像が撮影された際のスタイルに応じてスタイル＆方向記憶部Ｍ６の内容（表示方向／回転方向）を変更するようにしたので、以降、同じスタイルで撮影された画像を表示したり編集したりするときには、その変更された内容での制御が可能となる。
【００６３】
この場合、画像を処理するにあたって、画像の表示方向あるいは回転方向の変更を指示する操作が行われた際に、今回に限った一時的な変更なのか、以降も同じ制御を利用するかを問い合わせるようにしたので、ユーザにあってはその選択を自由に行うことができる。
【００６４】
なお、上述した実施形態においては、画像に対する制御を行うスタイルとして、オープンスタイル、ビュースタイルを例示したが、これらのスタイルに限らず、任意であるほか、２軸ヒンジタイプ（回転２軸型）に限らず、フリップ型、リボルバー型、スライド型、折り畳み型などその装置本体の筐体の連結状態に応じたスタイルであってもよい。
【００６５】
また、上述した実施形態においては、スタイルに応じた制御として、画像を表示するときの表示方向と編集するときの回転方向を例示したが、編集時の切り出しサイズや色補正、鏡反転などをスタイルに応じて制御するようにしてもよい。
【００６６】
その他、撮像装置としては、撮像機能付き携帯電話機に限らず、例えば、撮像機能付きパーソナルコンピュータ・ＰＤＡ・電子腕時計・音楽再生機などのほか、勿論、デジタルカメラ自体であってもよい。
【００６７】
（付記１）
装置本体を構成する複数の筐体の連結状態に応じて複数のスタイルに変更可能な撮像装置であって、
画像を撮影する撮像手段と、
装置本体のスタイルを検出する検出手段と、
前記撮像手段によって撮影される画像に対する制御を前記検出手段によって検出されたスタイルに応じて行う第１の制御手段と、
を具備したことを特徴とする撮像装置。
【００６８】
（付記２）
前記第１の制御手段は、前記撮像手段によって撮像される画像に対する制御として、その画像を撮影する際の撮影条件を制御する、
ようにしたことを特徴とする付記１記載の撮像装置。
【００６９】
（付記３）
前記撮像手段は、複数の撮影モードを有し、
前記第１の制御手段は、前記撮像手段によって撮像される画像に対する制御として、その画像を撮影する際の撮影モードを制御する、
ようにしたことを特徴とする付記１記載の撮像装置。
【００７０】
（付記４）
前記撮像手段によって撮影される画像に対する制御をユーザ操作に応じて行う第２の制御手段と、
前記第２の制御手段が行った制御内容と、その制御を行った際に前記検出手段によって検出されたスタイルとを対応付けて制御内容記憶手段に記憶する制御内容記憶制御手段と、
を更に備え、前記第１の制御手段は、前記撮像手段による撮影時に前記検出手段によって検出されたスタイルに対応付けて前記制御内容記憶手段に記憶されている制御内容に従って、前記撮像手段によって撮影される画像に対する制御を行う、
ようにしたことを特徴とする付記１記載の撮像装置。
【００７１】
（付記５）
前記第２の制御手段が行った制御内容と、その制御を行った際に前記検出手段によって検出されたスタイルとを対応付けて前記制御内容記憶手段に記憶するか否かを選択する選択手段を更に備える、
ようにしたことを特徴とする付記４記載の撮像装置。
【００７２】
（付記６）
装置本体を構成する複数の筐体の連結状態に応じて複数のスタイルに変更可能な撮像装置であって、
画像を撮影する撮像手段と、
装置本体のスタイルを検出する検出手段と、
前記撮像手段によって撮影された画像と、その画像が撮影された際に前記検出手段によって検出されたスタイルとを対応付けて画像記憶手段に記憶する画像記憶制御手段と、
前記画像記憶手段に記憶されている画像を処理する処理手段と、
この処理手段によって画像を処理するにあたって、その画像と対応付けられて前記画像記憶手段に記憶されているスタイルに基づいて、前記処理手段によって処理される画像に対する制御を行う第１の制御手段と、
を具備したことを特徴とする撮像装置。
【００７３】
（付記７）
前記処理手段は、画像を表示する処理を行い、
前記第１の制御手段は、画像を表示するにあたって、画像の表示方向を制御する、
ようにしたことを特徴とする付記６記載の撮像装置。
【００７４】
（付記８）
前記処理手段は、画像を編集する処理を行い、
前記第１の制御手段は、画像を編集するにあたって、画像の編集処理を制御する、
ようにしたことを特徴とする付記６記載の撮像装置。
【００７５】
（付記９）
前記処理手段によって画像を処理するにあたって、前記処理手段によって処理される画像に対する制御をユーザ操作に応じて行う第２の制御手段と、
この第２制御手段によって制御を行った場合に、その制御を行った画像と対応付けられて前記画像記憶手段に記憶されているスタイルを読み出し、その読み出されたスタイルと前記第２の制御手段が行う制御内容とを対応付けて制御内容記憶手段に記憶する制御内容記憶制御手段と、
を更に備え、前記第１の制御手段は、前記処理手段によって画像を処理するにあたって、その画像と対応付けられて前記画像記憶手段に記憶されているスタイルを読み出し、その読み出されたスタイルと対応付けられて前記制御内容記憶手段に記憶されている制御内容に従って、前記処理手段によって処理される画像に対する制御を行う、
ようにしたことを特徴とする付記６記載の撮像装置。
【００７６】
（付記１０）
前記第２の制御手段によって制御を行った場合に、その制御を行った画像と対応付けられて前記画像記憶手段に記憶されているスタイルを読み出し、その読み出されたスタイルと前記第２の制御手段による制御内容とを対応付けて前記制御内容記憶手段に記憶するか否かを選択する選択手段を更に備える、
ようにしたことを特徴とする付記９記載の撮像装置。
【００７７】
（付記１１）
コンピュータに対して、
装置本体を構成する複数の筐体の連結状態に応じたスタイルを検出する機能と、
撮影される画像に対する制御を前記検出されたスタイルに応じて行う機能と、
を実現させるためのプログラム。
【００７８】
（付記１２）
コンピュータに対して、
装置本体を構成する複数の筐体の連結状態に応じたスタイルを検出する機能と、
撮影された画像と、その画像が撮影された際に前記検出されたスタイルとを対応付けて記憶管理する機能と、
前記記憶されている画像を処理する機能と、
前記画像を処理するにあたって、その画像と対応付けられて前記記憶されているスタイルに基づいて、前記処理される画像に対する制御を行う機能と、
を実現させるためのプログラム。
【符号の説明】
【００７９】
１  携帯電話機
１Ａ  操作部筐体
１Ｂ  表示部筐体
１Ｃ  ヒンジ部
２  無線通信網
１１  中央制御部
１２  ＲＯＭ
１３  ＲＡＭ
１４  無線通信送受信部
１６  カメラ部
１７  表示部
１８  操作部
２０  スタイル検出部
Ｍ１  撮影方法記憶部
Ｍ２  撮影モード情報記憶部
Ｍ３  現在設定記憶部
Ｍ４  スタイル＆撮影条件記憶部
Ｍ５  スタイル＆撮影モード記憶部
Ｍ６  スタイル＆方向記憶部
Ｍ７  画像記憶部
【図１】
0005316661.tif 000002
【図２】
0005316661.tif 000003
【図３】
0005316661.tif 000004
【図４】
0005316661.tif 000005
【図５】
0005316661.tif 000006
【図６】
0005316661.tif 000007
【図７】
0005316661.tif 000008
【図８】
0005316661.tif 000009
【図９】
0005316661.tif 000010
【図１０】
0005316661.tif 000011
【図１１】
0005316661.tif 000012
【図１２】
0005316661.tif 000013
【図１３】
0005316661.tif 000014
【図１４】
0005316661.tif 000015
【図１５】
0005316661.tif 000016
【図１６】
0005316661.tif 000017